(57)【要約】【課題】地上デジタル放送等の第１の放送の代替の衛星放送等の第２の放送を受信可能にするためのユーザ負担の軽減に優れた放送受信装置を提供すること。【解決手段】実施形態の放送受信装置は、検出手段と、制御手段とを備える。前記検出手段は、第１の放送の受信状態を検出する。前記制御手段は、前記第１の放送の前記受信状態に応じて、前記第１の放送の代替の第２の放送の受信に関係する動作を制御する。【選択図】図２
2012044557.tif 000002
【特許請求の範囲】
【請求項１】
第１の放送の受信状態を検出する検出手段と、
前記第１の放送の前記受信状態に応じて、前記第１の放送の代替の第２の放送の受信に関係する動作を制御する制御手段と、
を備えた放送受信装置。
【請求項２】
前記検出手段は、地上デジタル放送の受信状態を検出し、
前記制御手段は、前記地上デジタル放送の受信状態に応じて、前記地上デジタル放送の代替の衛星放送の受信に関係する動作を制御する請求項１に記載の放送受信装置。
【請求項３】
前記制御手段は、前記受信状態に基づく前記地上デジタル放送の受信不能判定に応じて、第１の番組を提供する前記地上デジタル放送の受信に替えて、前記第１の番組に対応する第２の番組を提供する前記衛星放送を受信するように制御する請求項２に記載の放送受信装置。
【請求項４】
前記制御手段は、前記受信状態に基づく前記地上デジタル放送の受信不能判定に応じて、前記衛星放送を受信するための情報を設定する請求項３に記載の放送受信装置。
【請求項５】
前記制御手段は、前記受信状態に基づく前記地上デジタル放送の受信不能判定に応じて、前記衛星放送の視聴制限を解除するための解除情報を設定する請求項４に記載の放送受信装置。
【請求項６】
前記制御手段は、前記受信状態に基づく前記地上デジタル放送の受信不能判定に応じて、前記衛星放送を受信するための受信案内情報を出力するように制御する請求項２乃至５の何れか１項に記載の放送受信装置。
【請求項７】
前記制御手段は、前記受信状態に基づく前記地上デジタル放送の受信可能判定に応じて、前記衛星放送の受信不能を示す受信不能案内情報を出力するように制御する請求項２乃至６の何れか１項に記載の放送受信装置。
【請求項８】
前記制御手段は、前記受信状態に基づく前記地上デジタル放送の受信不能判定に応じて、前記衛星放送を受信するように制御し、前記地上デジタル放送の第１のチャンネルと前記衛星放送の第２のチャンネルとを対応付けたチャンネル対応データに基づき、前記地上デジタル放送の前記第１のチャンネルの指定を前記衛星放送の前記第２チャンネルの指定に変換する請求項２乃至７の何れか１項に記載の放送受信装置。
【請求項９】
前記地上デジタル放送を受信する第１の受信手段と、
前記地上デジタル放送に対応する番組を提供する前記衛星放送を受信する第２の受信手段と、
を備えた請求項２乃至８の何れか１項に記載の放送受信装置。
【請求項１０】
第１の放送の受信状態を検出し、
前記第１の放送の前記受信状態に応じて、前記第１の放送の代替の第２の放送の受信に関係する動作を制御する放送受信方法。
【発明の詳細な説明】
【技術分野】
【０００１】
本発明の実施形態は、複数の放送を選択的に受信する放送受信装置及び放送受信方法に関する。
【背景技術】
【０００２】
近年、各国において地上アナログ放送に替わる地上デジタル放送が開始されている。日本では、２００３年に地上デジタル放送が開始され、２０１１年７月に地上アナログ放送が終了し、地上アナログ放送から地上デジタル放送へ移行が完了する予定となっている。これに伴い、地上デジタル放送を受信可能なデジタルＴＶ（ＤＴＶ）及びデジタルビデオレコーダ（ＤＶＲ）等の普及が進んでいる。
【先行技術文献】
【特許文献】
【０００３】
【特許文献１】特開２００５−１２３８７７号公報
【特許文献２】特開２００９−１１８３０８号公報
【発明の概要】
【発明が解決しようとする課題】
【０００４】
上記したように、日本では、２００３年に地上デジタル放送が開始されているが、未だ地上デジタル放送の受信が難しい地区が存在している。そこで、地上デジタル放送の難視聴対策として、衛星放送を利用して地上デジタル放送の番組が放送されている。
【０００５】
地上デジタル放送及び衛星放送を受信可能な放送受信装置（ＤＴＶ又はＤＶＲなど）は、受信設定等に応じて、地上デジタル放送により地上デジタル放送の番組を受信することもできるし、衛星放送により地上デジタル放送の番組を受信することもできる。
【０００６】
例えば、ＤＴＶの初期受信設定で、地上デジタル放送により地上デジタル放送の番組を受信する設定を実施しても、地上デジタル放送の難視聴地区では、何故地上デジタル放送が視聴できないかをユーザが理解できなかったり、地上デジタル放送の難視聴対策用の衛星放送を受信するための情報を入力したりする必要がある。また、地上デジタル放送を視聴可能な地域では、番組表には地上デジタル放送難視聴対策用衛星放送の番組が表示されるのに、視聴できないため、その理由が分からず、番組表の操作利便性も悪いという問題がある。
【０００７】
このような受信設定の変更及び情報の入力は、ユーザの負担になっている。
【０００８】
本発明の目的は、地上デジタル放送等の第１の放送の代替の衛星放送等の第２の放送を受信可能にするためのユーザ負担の軽減、または、地上デジタル放送等の第１の放送の代替の衛星放送等の第２の放送が受信不可であることを通知する利便性に優れた放送受信装置及び放送受信方法を提供することにある。
【課題を解決するための手段】
【０００９】
実施形態の放送受信装置は、検出手段と、制御手段とを備える。前記検出手段は、第１の放送の受信状態を検出する。前記制御手段は、前記第１の放送の前記受信状態に応じて、前記第１の放送の代替の第２の放送の受信に関係する動作を制御する。
【図面の簡単な説明】
【００１０】
【図１】第１〜第５の実施形態に共通の映像記録再生装置（放送受信装置）の概略構成の一例を示すブロック図である。
【図２】初期スキャンの一例を示すフローチャートである。
【図３】地上デジタル放送の各放送局と地上デジタル放送の難視聴対策衛星放送の各放送局との対応の一例を示す図である。
【発明を実施するための形態】
【００１１】
以下、第１〜第５の実施形態について図面を参照して説明する。
【００１２】
図１は、第１〜第５の実施形態に共通の映像記録再生装置（放送受信装置）の概略構成の一例を示すブロック図である。例えば、映像記録再生装置は、光ディスクドライブ及びハードディスクドライブのうちの少なくとも一方のドライブを備え、例えば、光ディスクドライブにより、地上デジタル放送の番組をＤＶＤ又はＢＤ（Blu-ray）へ記録したり、衛星放送の番組をＤＶＤ又はＢＤへ記録したり、ＤＶＤ又はＢＤに記録された番組を再生したりすることができる。
【００１３】
第１〜第５の実施形態では、上記した映像記録再生装置による放送受信制御（放送受信切替）について説明する。しかしながら、本発明は、映像記録再生装置による放送受信制御に限定されるものではない。例えば、第１〜第５の実施形態で説明する放送受信制御は、デジタル放送受信装置（デジタルＴＶ）にも適用できる。
【００１４】
図１に示すように、映像記録再生装置は、第１の選局モジュール１０１、第２の選局モジュール１０２、制御モジュール１０３、操作入力モジュール１０４、受信判定モジュール１０５、選局設定メモリ１０６を備えている。
【００１５】
操作入力モジュール１０４は、映像記録再生装置に取り付けられた操作入力パネルであってもよいし、映像記録再生装置から独立したリモートコントローラであってもよい。操作入力モジュール１０４は、各種情報を入力（設定）するための複数のキーを備えている。例えば、操作入力モジュール１０４は、チャンネルを指定するための複数のチャンネル指定キーを備えている。また、操作入力モジュール１０４は、表示部を備え、表示部により各種情報を表示することもできる。
【００１６】
次に、映像記録再生装置による初期スキャンの一例について説明する。
【００１７】
例えば、ユーザは、操作入力モジュール１０４を介して、地上デジタル放送を受信するために、居住地域の情報を入力（設定）し、さらに、初期スキャンの実行を入力する。制御モジュール１０３は、操作入力モジュール１０４を介して入力された居住地域の情報、初期スキャンの実行に基づき、初期スキャンの実行を制御する。
【００１８】
これに対応して、第１の選局モジュール（地上デジタル放送の選局モジュール）１０１は、受信周波数を変更しながら所定受信帯域内を順次選局する。さらに、これに対応して、受信判定モジュール１０５は、順次選局の動作に基づき受信状態（受信可能な放送局）を検出する。つまり、受信判定モジュール１０５は、順次選局の動作に基づき所定周波数チャンネルの受信可否を判定し、その結果を選局設定メモリ１０６に記憶する。制御モジュール１０３は、所定受信帯域内の順次選局及び受信可否判定の終了に対応して、初期スキャンの実行制御を終了する。
【００１９】
映像記録再生装置が、地上デジタル放送受信可能地域に設置され、適切な居住地域の情報が入力された場合には、選局設定メモリ１０６には、例えば、図３に示すように、物理チャンネル２７、２６、２５、２２、２１、２４、２３、２０、２８（地上デジタル放送の受信可能な各放送局）と、チャンネル指定キーの番号１、３、４、６、８、５、７、９、１２とを対応付けた地上デジタル放送視聴テーブルが記憶される。
【００２０】
これにより、例えば、操作モジュール１０４のチャンネル指定キーの番号１が選択されると、第１の選局モジュール１０１は、選局設定メモリ１０６に記憶された地上デジタル放送視聴テーブルに基づき、物理チャンネル２７を選局し、物理チャンネル２７に対応した信号（映像及び音声）を出力し、表示部Ｄは、物理チャンネル２７に対応した信号（映像）を表示する。また、操作モジュール１０４のチャンネル指定キーの番号４が選択されると、第１の選局モジュール１０１は、選局設定メモリ１０６に記憶された地上デジタル放送視聴テーブルに基づき、物理チャンネル２５を選局し、物理チャンネル２５に対応した信号（映像及び音声）を出力し、表示部Ｄは、物理チャンネル２５に対応した信号（映像）を表示する。
【００２１】
しかし、映像記録再生装置が、地上デジタル放送の受信が難しい地上デジタル放送難視地域に設置された場合、映像記録再生装置が、上記した初期スキャンを実行しても受信可能な地上デジタル放送の放送局を検出することができない。このため、映像記録再生装置は、地上デジタル放送（第１の放送）の代替の衛星放送（第２の放送）を受信することにより、この衛星放送（地上デジタル放送の難視聴対策衛星放送）により地上デジタル放送の番組を受信することができる。
【００２２】
地上デジタル放送の難視聴対策衛星放送は、地域限定で受信契約可能である。例えば、映像記録再生装置の選局設定メモリ１０６に記憶されたデフォルトの受信設定は、地上デジタル放送の難視聴対策衛星放送を受信しない状態（地上デジタル放送の受信設定：有効／地上デジタル放送の難視聴対策衛星放送の受信設定：無効）になっている。従って、地上デジタル放送の難視聴対策衛星放送を受信するためには、映像記録再生装置の受信設定を変更する必要がある。つまり、ユーザは、操作入力モジュール１０４を介して、選局設定メモリ１０６に記憶された受信設定を、地上デジタル放送の難視聴対策衛星放送を受信する状態（地上デジタル放送の受信設定：無効／地上デジタル放送の難視聴対策衛星放送の受信設定：有効）に変更する。このような受信設定の変更等は、ユーザの負担になってしまう。
【００２３】
以下、地上デジタル放送等の第１の放送の代替の衛星放送等の第２の放送を受信するためのユーザ負担を軽減することが可能な放送受信制御について説明する。
【００２４】
（第１の実施形態）
図２に示すように、映像記録再生装置は、初期スキャン（ＳＴ１０１〜ＳＴ１０４）を実行する。つまり、第１の選局モジュール１０１は、受信周波数を変更しながら所定受信帯域内を順次選局する。さらに、これに対応して、受信判定モジュール１０５は、順次選局の動作に基づき受信状態（受信可能な放送局）を検出する。つまり、受信判定モジュール１０５は、順次選局の動作に基づき所定周波数チャンネルの受信可否を判定し、その結果を選局設定メモリ１０６に記憶する。
【００２５】
例えば、所定受信帯域の全選局が完了したが（ＳＴ１０１、ＹＥＳ）、受信可能なチャンネルが無い場合には（ＳＴ１０５、ＹＥＳ）、制御モジュール１０３は、地上デジタル放送の難視聴対策衛星放送の受信に関係する動作を制御し、地上デジタル放送の難視聴対策衛星放送を受信するように制御する。例えば、制御モジュール１０３は、選局設定メモリ１０６に記憶された受信設定を、地上デジタル放送の難視聴対策衛星放送を受信するに変更する（ＳＴ１０６）。
【００２６】
例えば、選局設定メモリ１０６には、図３に示すように、チャンネル番号ＢＳ２９１、ＢＳ２９２、ＢＳ２９４、ＢＳ２９６、ＢＳ２９８、ＢＳ２９５、ＢＳ２９７（受信可能な各放送局）と、チャンネル指定キーの番号１、３、４、６、８、５、７とを対応付けた難視聴対策衛星放送視聴テーブルが記憶され、制御モジュール１０３は、難視聴対策衛星放送視聴テーブルに基づく地上デジタル放送の難視聴対策衛星放送のチャンネル選択を有効にする。さらに、制御モジュール１０３は、地上デジタル放送の難視聴対策衛星放送を受信するための情報を設定する。例えば、制御モジュール１０３は、地上デジタル放送の難視聴対策衛星放送の視聴制限（スクランブル）を解除するための解除情報（鍵情報）を設定する。
【００２７】
制御モジュール１０３は、初期スキャン完了フラグを選局設定メモリ１０６に設定し、初期スキャンを終了する。この後、操作モジュール１０４のチャンネル指定キーの番号１が選択されると、第２の選局モジュール１０２は、選局設定メモリ１０６に記憶された難視聴対策衛星放送視聴テーブルに基づき、チャンネル番号ＢＳ２９１を選局し、チャンネル番号ＢＳ２９１に対応した信号（映像及び音声）を出力し、表示部Ｄは、チャンネル番号ＢＳ２９１に対応した信号（映像）を表示する。また、操作モジュール１０４のチャンネル指定キーの番号４が選択されると、第２の選局モジュール１０２は、選局設定メモリ１０６に記憶された難視聴対策衛星放送視聴テーブルに基づき、チャンネル番号ＢＳ２９６を選局し、チャンネル番号ＢＳ２９６に対応した信号（映像及び音声）を出力し、表示部Ｄは、チャンネル番号ＢＳ２９６に対応した信号（映像）を表示する。
【００２８】
（第２の実施形態）
第１の実施形態に加えて、さらに、制御モジュール１０３は、地上デジタル放送の難視聴対策衛星放送を受信するための受信案内情報を出力するように制御する。例えば、制御モジュール１０３は、地上デジタル放送の難視聴対策衛星放送を受信するための契約情報等を表示するように制御する（ＳＴ１０７）。これに対応して、表示部Ｄは、契約情報等（連絡先電話番号、契約締結操作案内）を表示する。さらに、ユーザは、操作入力モジュール１０４を介して、地上デジタル放送の難視聴対策衛星放送を受信するために必要な情報（受信契約に必要な情報など）を入力することができる。
【００２９】
制御モジュール１０３は、地上デジタル放送の難視聴対策衛星放送を受信するために必要な情報の入力に対応して、初期スキャン完了フラグを選局設定メモリ１０６に設定し（ＳＴ１０８）、初期スキャンを終了する。この後、操作モジュール１０４のチャンネル指定キーの番号１が選択されると、第２の選局モジュール１０２は、選局設定メモリ１０６に記憶された難視聴対策衛星放送視聴テーブルに基づき、チャンネル番号ＢＳ２９１を選局し、チャンネル番号ＢＳ２９１に対応した信号（映像及び音声）を出力し、表示部Ｄは、チャンネル番号ＢＳ２９１に対応した信号（映像）を表示する。また、操作モジュール１０４のチャンネル指定キーの番号４が選択されると、第２の選局モジュール１０２は、選局設定メモリ１０６に記憶された難視聴対策衛星放送視聴テーブルに基づき、チャンネル番号ＢＳ２９６を選局し、チャンネル番号ＢＳ２９６に対応した信号（映像及び音声）を出力し、表示部Ｄは、チャンネル番号ＢＳ２９６に対応した信号（映像）を表示する。
【００３０】
（第３の実施形態）
図２に示すように、映像記録再生装置は、初期スキャン（ＳＴ１０１〜ＳＴ１０４）を実行し、例えば、所定受信帯域の全選局が完了し（ＳＴ１０１、ＹＥＳ）、地上デジタル放送の受信可能な１以上のチャンネルが有る場合には（ＳＴ１０５、ＮＯ）、制御モジュール１０３は、地上デジタル放送の難視聴対策衛星放送の受信に関係する動作を制御し、地上デジタル放送の難視聴対策衛星放送を受信しないように制御する。例えば、制御モジュール１０３は、選局設定メモリ１０６に記憶された受信設定を、地上デジタル放送の難視聴対策衛星放送を受信しない状態とする。
【００３１】
さらに、制御モジュール１０３は、地上デジタル放送の難視聴対策衛星放送の受信不能を示す受信不能案内情報を出力するように制御する。例えば、制御モジュール１０３は、地上デジタル放送の難視聴対策衛星放送を受信するための契約手続き不可を示す契約手続き不可情報等を表示するように制御する（ＳＴ１０９）。これに対応して、映像記録再生装置に接続された表示部Ｄは、契約手続き不可情報等が表示される。
【００３２】
制御モジュール１０３は、初期スキャン完了フラグを選局設定メモリ１０６に設定し（ＳＴ１０８）、初期スキャンを終了する。
【００３３】
映像記録再生装置が、地上デジタル放送受信可能地域に設置され、適切な居住地域の情報が入力された場合には、上記したように、地上デジタル放送を受信することができる。この場合、選局設定メモリ１０６には、例えば、図３に示すように、物理チャンネル２７、２６、２５、２２、２１、２４、２３、２０、２８（受信可能な各放送局）と、チャンネル指定キーの番号１、３、４、６、８、５、７、９、１２とを対応付けた地上デジタル放送視聴テーブルが記憶される。
【００３４】
例えば、操作モジュール１０４のチャンネル指定キーの番号１が選択されると、第１の選局モジュール１０１は、選局設定メモリ１０６に記憶された地上デジタル放送視聴テーブルに基づき、物理チャンネル２７を選局し、物理チャンネル２７に対応した信号（映像及び音声）を出力し、表示部Ｄは、物理チャンネル２７に対応した信号（映像）を表示する。また、操作モジュール１０４のチャンネル指定キーの番号４が選択されると、第１の選局モジュール１０１は、選局設定メモリ１０６に記憶された地上デジタル放送視聴テーブルに基づき、物理チャンネル２５を選局し、物理チャンネル２５に対応した信号（映像及び音声）を出力し、表示部Ｄは、物理チャンネル２５に対応した信号（映像）を表示する。
【００３５】
（第４の実施形態）
制御モジュール１０３は、地上デジタル放送が受信可能な場合に、操作入力モジュール１０４を介して、地上デジタル放送に対応した電子番組ガイドの出力要求を受け取ると、地上デジタル放送に対応した第１の電子番組ガイドを出力するように制御する。これに対応して、例えば、第１の選局モジュール１０１は、第１の電子番組ガイドを出力し、表示部Ｄは、第１の電子番組ガイドを表示する。例えば、図３に示すように、物理チャンネル２７、２６、２５、２２、２１、２４、２３、２０、２８（受信可能な各放送局）と、チャンネル指定キーの番号１、３、４、６、８、５、７、９、１２とを対応付けた地上デジタル放送視聴テーブルに基づき、第１の電子番組ガイドが表示される。
【００３６】
なお、この場合、操作入力モジュール１０４を介して画面をスクロールしても、制御モジュール１０３は、地上デジタル放送の難視聴対策衛星放送に対応した第２の電子番組ガイドを表示しないように制御する。このように、受信不能な地上デジタル放送の難視聴対策衛星放送に対応した第２の電子番組ガイドを表示しないことにより、ユーザの混乱を防止することができる。また、視聴不能な番組ガイドを表示しないことにより、視聴可能な番組ガイドをより多く表示することができる。
【００３７】
また、制御モジュール１０３は、地上デジタル放送が受信不能な場合に、操作入力モジュール１０４を介して、地上デジタル放送に対応した電子番組ガイドの出力要求を受け取ると、地上デジタル放送の難視聴対策衛星放送に対応した第２の電子番組ガイドを出力するように制御する。これに対応して、例えば、第２の選局モジュール１０２は、地上デジタル放送の難視聴対策衛星放送に対応した第２の電子番組ガイドを出力し、表示部Ｄは、第２の電子番組ガイドを表示する。例えば、図３に示すように、チャンネル番号ＢＳ２９１、ＢＳ２９２、ＢＳ２９４、ＢＳ２９６、ＢＳ２９８、ＢＳ２９５、ＢＳ２９７（受信可能な各放送局）と、チャンネル指定キーの番号１、３、４、６、８、５、７とを対応付けた難視聴対策衛星放送視聴テーブルに基づき、第２の電子番組ガイドが表示される。なお、この場合、操作入力モジュール１０４を介して画面をスクロールしても、制御モジュール１０３は、第１の電子番組ガイドを表示しないように制御する。このように、受信不能な地上デジタル放送に対応した第１の電子番組ガイドを表示しないことにより、ユーザの混乱を防止することができる。また、視聴不能な番組ガイドを表示しないことにより、視聴可能な番組ガイドをより多く表示することができる。
【００３８】
（第５の実施形態）
上記第１〜第４の実施形態に加えて、さらに、制御モジュール１０３は、地上デジタル放送対応に対応したチャンネルアップ又はチャンネルダウン、或いは地上デジタル放送の難視聴対策衛星放送に対応したチャンネルアップ又はチャンネルダウンを制御することができる。操作入力モジュール１０４は、チャンネルアップキー及びチャンネルダウンキーを備え、チャンネルアップキーを介したチャンネルアップ操作又はチャンネルダウンキーを介したチャンネルダウン操作に対応して、制御モジュール１０３は、チャンネルの切り替えを制御する。
【００３９】
例えば、所定受信帯域の全選局が完了し（ＳＴ１０１、ＹＥＳ）、地上デジタル放送の受信可能な１以上のチャンネルが有る場合には（ＳＴ１０５、ＮＯ）、制御モジュール１０３は、物理チャンネル２７、２６、２５、２２、２１、２４、２３、２０、２８（受信可能な各放送局）と、チャンネル指定キーの番号１、３、４、６、８、５、７、９、１２とを対応付けた地上デジタル放送視聴テーブルに基づき、チャンネルアップ操作又はチャンネルダウン操作に対応して、チャンネルの切り替えを制御する。つまり、チャンネルアップ操作又はチャンネルダウン操作に対応して、地上デジタル放送の難視聴対策衛星放送は選択されずに、スキップされる。
【００４０】
例えば、現在選択されているチャンネルが物理チャンネル２７の場合には、制御モジュール１０３は、１チャンネルアップの操作に対応して、物理チャンネル２７を物理チャンネル２６に切り換え、さらに、１チャンネルアップの操作に対応して、物理チャンネル２６を物理チャンネル２５に切り換える。現在選択されているチャンネルが物理チャンネル２８の場合には、制御モジュール１０３は、１チャンネルアップの操作に対応して、物理チャンネル２８を物理チャンネル２７に切り換える。
【００４１】
また、現在選択されているチャンネルが物理チャンネル２５の場合には、制御モジュール１０３は、１チャンネルダウンの操作に対応して、物理チャンネル２５を物理チャンネル２６に切り換え、さらに、１チャンネルダウンの操作に対応して、物理チャンネル２６を物理チャンネル２７に切り換える。現在選択されているチャンネルが物理チャンネル２７の場合には、制御モジュール１０３は、１チャンネルダウンの操作に対応して、物理チャンネル２７を物理チャンネル２８に切り換える。
【００４２】
このようにして、地上デジタル放送の受信可能な１以上のチャンネルが有る場合には、制御モジュール１０３は、チャンネルアップ操作又はチャンネルダウン操作に対応して、地上デジタル放送の難視聴対策衛星放送を選択せずにスキップする。
【００４３】
また、所定受信帯域の全選局が完了したが（ＳＴ１０１、ＹＥＳ）、受信可能なチャンネルが無い場合には（ＳＴ１０５、ＹＥＳ）、制御モジュール１０３は、チャンネル番号ＢＳ２９１、ＢＳ２９２、ＢＳ２９４、ＢＳ２９６、ＢＳ２９８、ＢＳ２９５、ＢＳ２９７（受信可能な各放送局）と、チャンネル指定キーの番号１、３、４、６、８、５、７とを対応付けた難視聴対策衛星放送視聴テーブルに基づき、チャンネルアップ操作又はチャンネルダウン操作に対応して、チャンネルの切り替えを制御する。つまり、チャンネルアップ操作又はチャンネルダウン操作に対応して、地上デジタル放送は選択されずに、スキップされる。
【００４４】
例えば、現在選択されているチャンネルがＢＳ２９１の場合には、制御モジュール１０３は、１チャンネルアップの操作に対応して、ＢＳ２９１をＢＳ２９２に切り換え、さらに、１チャンネルアップの操作に対応して、ＢＳ２９２をＢＳ２９４に切り換える。現在選択されているチャンネルがＢＳ２９７の場合には、制御モジュール１０３は、１チャンネルアップの操作に対応して、ＢＳ２９７をＢＳ２９１に切り換える。
【００４５】
また、現在選択されているチャンネルがＢＳ２９４の場合には、制御モジュール１０３は、１チャンネルダウンの操作に対応して、ＢＳ２９４をＢＳ２９２に切り換え、さらに、１チャンネルダウンの操作に対応して、ＢＳ２９２をＢＳ２９１に切り換える。現在選択されているチャンネルがＢＳ２９１の場合には、制御モジュール１０３は、１チャンネルダウンの操作に対応して、ＢＳ２９１をＢＳ２８７に切り換える。
【００４６】
このようにして、受信可能な地上デジタル放送のチャンネルが無い場合には、制御モジュール１０３は、チャンネルアップ操作又はチャンネルダウン操作に対応して、地上デジタル放送を選択せずにスキップする。
【００４７】
或いは、映像記録再生装置は、次のようにして、通常衛星放送（ＢＳ１０１、ＢＳ１０２など）と難視聴対策衛星放送（ＢＳ２９１、ＢＳ２９２など）のチャンネルを選択することができる。
【００４８】
例えば、上記したように、選局設定メモリ１０６には、物理チャンネル２７、２６、２５、２２、２１、２４、２３、２０、２８（地上デジタル放送の受信可能な各放送局）と、チャンネル指定キーの番号１、３、４、６、８、５、７、９、１２とを対応付けた地上デジタル放送視聴テーブルが記憶される。さらに、選局設定メモリ１０６には、チャンネル番号ＢＳ１０１、ＢＳ１０２、ＢＳ１０３、ＢＳ１４１、ＢＳ１５１、ＢＳ１６１、ＢＳ１７１、ＢＳ１８１、ＢＳ１９１、ＢＳ２００、ＢＳ２１１、ＢＳ２２２と、チャンネル指定キーの番号１、３、４、５、６、７、８、９、１０、１１、１２とを対応付けた通常衛星放送視聴テーブルも記憶される。さらに、選局設定メモリ１０６には、チャンネル番号ＢＳ２９１、ＢＳ２９２、ＢＳ２９４、ＢＳ２９６、ＢＳ２９８、ＢＳ２９５、ＢＳ２９７を含む難視聴対策衛星放送視聴テーブルが記憶される。
【００４９】
地上デジタル放送を１チャンネル以上受信することができる場合、制御モジュール１０３は、地上デジタル放送視聴テーブル及び通常衛星放送視聴テーブルに基づき、チャンネルの切り替え操作に対応して、チャンネルの切り替えを制御する。つまり、地上デジタル放送を１チャンネル以上受信することができる場合、制御モジュール１０３は、難視聴対策衛星放送のチャンネルを選択せずに、スキップする。
【００５０】
例えば、操作モジュール１０４の衛星放送指定キーが選択され、衛星放送視聴モードが設定された状態で（例えば衛星放送のＢＳ１０１が選局された状態で）、制御モジュール１０３は、１チャンネルアップの操作毎に、ＢＳ１０１→ＢＳ１０２→…→ＢＳ２１１→ＢＳ２２２→ＢＳ１０１→ＢＳ１０２に切り換える。同様に、衛星放送視聴モードが設定された状態で（例えば衛星放送のＢＳ２２２が選局された状態で）、制御モジュール１０３は、１チャンネルダウンの操作毎に、ＢＳ２２２→ＢＳ２１１→…→ＢＳ１０２→ＢＳ１０１→ＢＳ２２２→ＢＳ２１１に切り換える。このようにして、制御モジュール１０３は、チャンネルアップ又はチャンネルダウンの操作に対応して、難視聴対策衛星放送のチャンネルを選択せずに、スキップする。
【００５１】
また、操作モジュール１０４の衛星放送指定キーが選択され、衛星放送視聴モードが設定された状態で（例えば衛星放送のＢＳ１０１が選局された状態で）、操作モジュール１０４のチャンネル指定キーの番号２が選択されると、第２の選局モジュール１０２は、選局設定メモリ１０６に記憶された通常衛星放送視聴テーブルに基づき、チャンネル番号ＢＳ１０２を選局し、チャンネル番号ＢＳ１０２に対応した信号（映像及び音声）を出力し、表示部Ｄは、チャンネル番号ＢＳ１０２に対応した信号（映像）を表示する。さらに、操作モジュール１０４のチャンネル指定キーの番号４が選択されると、第２の選局モジュール１０２は、選局設定メモリ１０６に記憶された通常衛星放送視聴テーブルに基づき、チャンネル番号ＢＳ１４１を選局し、チャンネル番号ＢＳ１４１に対応した信号（映像及び音声）を出力し、表示部Ｄは、チャンネル番号ＢＳ１４１に対応した信号（映像）を表示する。
【００５２】
また、操作モジュール１０４の地上デジタル放送指定キーが選択され、地上デジタル放送視聴モードが設定された状態で（例えば地上デジタル放送の物理チャンネル２７が選局された状態で）、操作モジュール１０４のチャンネル指定キーの番号３が選択されると、第１の選局モジュール１０１は、選局設定メモリ１０６に記憶された地上デジタル放送視聴テーブルに基づき、物理チャンネル番号２６を選局し、物理チャンネル番号２６に対応した信号（映像及び音声）を出力し、表示部Ｄは、物理チャンネル番号２６に対応した信号（映像）を表示する。さらに、操作モジュール１０４のチャンネル指定キーの番号４が選択されると、第１の選局モジュール１０１は、選局設定メモリ１０６に記憶された地上デジタル放送視聴テーブルに基づき、物理チャンネル番号２５を選局し、物理チャンネル番号２５に対応した信号（映像及び音声）を出力し、表示部Ｄは、物理チャンネル番号２５に対応した信号（映像）を表示する。
【００５３】
これに対して、地上デジタル放送を受信することができない場合、制御モジュール１０３は、地上デジタル放送視聴テーブル、通常衛星放送視聴テーブル、及び難視聴対策衛星放送視聴テーブルに基づき、チャンネルの切り替え操作に対応して、チャンネルの切り替えを制御する。つまり、地上デジタル放送を受信することができない場合、制御モジュール１０３は、地上デジタル放送のチャンネルの選択に替えて、難視聴対策衛星放送のチャンネルを選択する。
【００５４】
このケースでは、例えば、制御モジュール１０３は、１チャンネルアップの操作毎に、ＢＳ１０１→ＢＳ１０２→…→ＢＳ２１１→ＢＳ２２２→ＢＳ２９１→ＢＳ２９２→…→ＢＳ２９５→ＢＳ２９７→ＢＳ１０１→ＢＳ１０２に切り換える。同様に、制御モジュール１０３は、１チャンネルダウンの操作毎に、ＢＳ２９７→ＢＳ２９５→…→ＢＳ２９２→ＢＳ２９１→ＢＳ２２２→ＢＳ２１１→…→ＢＳ１０２→ＢＳ１０１→ＢＳ２９７に切り換える。つまり、地上デジタル放送を受信することができない場合、制御モジュール１０３は、チャンネルアップ又はチャンネルダウンの操作に対応して、通常衛星放送のチャンネルに加えて、難視聴対策衛星放送のチャンネルを選択することができる。
【００５５】
また、操作モジュール１０４の衛星放送指定キーが選択され、衛星放送視聴モードが設定された状態で（例えば衛星放送のＢＳ１０１が選局された状態で）、操作モジュール１０４のチャンネル指定キーの番号２が選択されると、第２の選局モジュール１０２は、選局設定メモリ１０６に記憶された通常衛星放送視聴テーブルに基づき、チャンネル番号ＢＳ１０２を選局し、チャンネル番号ＢＳ１０２に対応した信号（映像及び音声）を出力し、表示部Ｄは、チャンネル番号ＢＳ１０２に対応した信号（映像）を表示する。さらに、操作モジュール１０４のチャンネル指定キーの番号４が選択されると、第２の選局モジュール１０２は、選局設定メモリ１０６に記憶された地上デジタル放送視聴テーブル及び難視聴対策衛星放送視聴テーブルに基づき、チャンネル番号ＢＳ１４１を選局し、チャンネル番号ＢＳ１４１に対応した信号（映像及び音声）を出力し、表示部Ｄは、チャンネル番号ＢＳ１４１に対応した信号（映像）を表示する。
【００５６】
また、操作モジュール１０４の地上デジタル放送指定キーが選択され、地上デジタル放送視聴モードが設定された状態で、操作モジュール１０４のチャンネル指定キーの番号２が選択されると、第２の選局モジュール１０２は、選局設定メモリ１０６に記憶された地上デジタル放送視聴テーブル及び難視聴対策衛星放送視聴テーブルに基づき、物理チャンネル２６をチャンネル番号ＢＳ２９２へ置き換え、チャンネル番号ＢＳ２９２を選局し、チャンネル番号ＢＳ２９２に対応した信号（映像及び音声）を出力し、表示部Ｄは、チャンネル番号ＢＳ２９２に対応した信号（映像）を表示する。さらに、操作モジュール１０４のチャンネル指定キーの番号４が選択されると、第２の選局モジュール１０２は、選局設定メモリ１０６に記憶された地上デジタル放送視聴テーブル及び難視聴対策衛星放送視聴テーブルに基づき、物理チャンネル２５をチャンネル番号ＢＳ２９４へ置き換え、チャンネル番号ＢＳ２９４を選局し、チャンネル番号ＢＳ２９４に対応した信号（映像及び音声）を出力し、表示部Ｄは、チャンネル番号ＢＳ２９４に対応した信号（映像）を表示する。
【００５７】
以上説明したように、映像記録再生装置は、地上デジタル放送等の第１の放送の代替の衛星放送等の第２の放送を受信するためのユーザ負担を大幅に軽減することができる。これにより、ユーザは、煩雑な設定から解放され、地上デジタル放送を視聴する感覚で、地上デジタル放送の難視聴対策衛星放送を視聴することができる。例えば、地上デジタル放送のチャンネル変更操作と同一の操作で、地上デジタル放送の難視聴対策衛星放送のチャンネルを変更することができる。さらに、地上デジタル放送に対応した第１の電子番組ガイドから、地上デジタル放送の難視聴対策衛星放送に対応した第２の電子番組ガイドへの切替操作を必要とせずに、地上デジタル放送が受信可能な場合には第１の電子番組ガイドを表示することができ、地上デジタル放送が受信不能な場合には第２の電子番組ガイドを表示することができる。さらに、地上デジタル放送が受信可能な場合には、チャンネルアップ操作又はチャンネルダウン操作に対応して、地上デジタル放送のチャンネルを順に選択し、或いは、通常衛星放送のチャンネルを順に選択し、地上デジタル放送の難視聴対策衛星放送のチャンネルは選択しない。地上デジタル放送が受信不能な場合には、チャンネルアップ操作又はチャンネルダウン操作に対応して、通常衛星放送のチャンネルを順に選択し、或いは、地上デジタル放送の難視聴対策衛星放送のチャンネルを順に選択し、地上デジタル放送のチャンネルは選択しない。
【００５８】
なお、上記した第１、第２、第３、第４、第５の実施形態は、夫々、単独で実施することもできるし、組み合わせて実施することもできる。
【００５９】
以下、上記した映像記録再生装置の動作を簡単にまとめる。
【００６０】
（１）映像記録再生装置は、地上デジタル放送が受信可能か否かを判断し、受信不能判断に応じて、地上デジタル放送の難視聴対策衛星放送の受信設定を有効に設定し、地上デジタル放送の受信を地上デジタル放送の難視聴対策衛星放送の受信へ自動的に切り換える。
【００６１】
（２）映像記録再生装置は、地上デジタル放送が受信可能か否かを判断し、受信不能判断に応じて、地上デジタル放送の難視聴対策衛星放送を受信するために必要な情報を表示するように制御する。
【００６２】
（３）映像記録再生装置は、地上デジタル放送が受信可能か否かを判断し、受信可能判断に応じて、地上デジタル放送の難視聴対策衛星放送を受信することができない旨の案内情報又は地上デジタル放送の難視聴対策衛星放送の受信契約を締結することができない旨の案内情報を表示するように制御する。
【００６３】
（４）映像記録再生装置は、地上デジタル放送が受信可能か否かを判断し、受信不能判断に応じて、地上デジタル放送の難視聴対策衛星放送の受信設定を有効に設定し、地上デジタル放送の受信を地上デジタル放送の難視聴対策衛星放送の受信へ自動的に切り換え、さらに、地上デジタル放送視聴テーブル及び衛星放送視聴テーブルに基づき、地上デジタル放送のチャンネル選択操作を、地上デジタル放送の難視聴対策衛星放送のチャンネル選択操作へ変換する。
【００６４】
これまでは、ＤＴＶの初期受信設定で、地上デジタル放送により地上デジタル放送の番組を受信する設定を実施しても、地上デジタル放送の難視聴地区では、何故地上デジタル放送が視聴できないかをユーザが理解できなかったり、地上デジタル放送の難視聴対策用の衛星放送を受信するための情報を入力したりする必要があった。また、地上デジタル放送を視聴可能な地域では、番組表には地上デジタル放送難視聴対策用衛星放送の番組が表示されるのに、視聴できないため、その理由が分からず、番組表の操作利便性も低かった。このような受信設定の変更及び情報の入力は、ユーザの負担になっていた。
【００６５】
上記説明したように、実施形態に記載の映像記録再生装置は、地上デジタル放送等の第１の放送の代替の衛星放送等の第２の放送を受信可能にするためのユーザ負担の軽減、または、地上デジタル放送等の第１の放送の代替の衛星放送等の第２の放送が受信不可であることを通知する利便性に優れる。
【００６６】
なお、上記したモジュールとは、ハードウェアで実現するものであっても良いし、ＣＰＵ等を使ってソフトウェアで実現するものであってもよい。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１０１…第１の選局モジュール、１０２…第２の選局モジュール、１０３…制御モジュール、１０４…操作入力モジュール、１０５…受信判定モジュール、１０６…選局設定メモリ
【図１】
2012044557.tif 000003
【図２】
2012044557.tif 000004
【図３】
2012044557.tif 000005